(57)【要約】【課題】横漏れおよび前後の漏れを確実に防止することができる失禁用下着の提供。【解決手段】この下着１０は、マチ部７５を有する下着本体１１と、マチ部７５に設けられた吸水部材１２とを有する。吸水部材１２は、下シート１６と、吸水シート１７と、中シート１８と、上シート１９とを有する。中シート１８は、開口２０を有する。吸水シート１７の中央部は、開口２０から露出している。中シート１８は、吸水シート１７の周縁部６３を覆う。下シート１６、中シート１８および上シート１９は、吸水シート１７の周縁に沿って環状に熱融着されている。【選択図】図２
2007308827.tif 000002
【特許請求の範囲】
【請求項１】
防水性を有する下シートと、
下シートの上に重ねられた吸水性を有する吸水シートと、
吸水シートの上に重ねられ、防水性を有する中シートと、
中シートの上に重ねられ、疎水性および透水性を有する上シートとを備え、
上記中シートは、上記吸水シートの中央部を露出させた状態で縁部を覆う開口を有し、
上記下シート、中シートおよび上シートは、上記吸水シートを包むように当該吸水シートの周縁に沿って環状に熱融着されている吸水部材。
【請求項２】
上記下シート、吸水シート、中シートおよび上シートはそれぞれ略分銅形に形成されており、
所定方向に凸となるように円弧状に湾曲形成された上辺と、
反所定方向に凸となるように円弧状に湾曲形成された下辺と、
上辺の一端および下辺の一端を連続し、両者の他端側へ凸となるように円弧状に湾曲形成された一側辺と、
上辺の他端および下辺の他端を連続し、両者の一端側へ凸となるように円弧状に湾曲形成された他側辺とを有する請求項１に記載の吸水部材。
【請求項３】
上記熱融着された部分に連続して縫い代が形成されている請求項１または２に記載の吸水部材。
【請求項４】
上記吸水シートは、上記下シート、中シートおよび上シートと共に熱融着されている請求項１から３のいずれかに記載の吸水部材。
【請求項５】
マチ部を有する下着本体と、
上記マチ部の内側に配置された吸水部材とを備え、
当該吸水部材は、
上記マチ部に重ねられた防水性を有する下シートと、
当該下シートの上に重ねられた吸水性を有する吸水シートと、
当該吸水シートの上に重ねられ、防水性を有する中シートと、
当該中シートの上に重ねられ、疎水性および透水性を有する上シートとを有し、
上記中シートは、上記吸水シートの中央部を露出させた状態で縁部を覆う開口を有し、
上記下シート、中シートおよび上シートは、上記吸水シートを包むように当該吸水シートの周縁に沿って環状に熱融着されている失禁用下着。
【請求項６】
上記下シート、吸水シート、中シートおよび上シートはそれぞれ略分銅形に形成されており、
上記下着本体の前側に凸となるように円弧状に湾曲形成された上辺と、
上記下着本体の後側に凸となるように円弧状に湾曲形成された下辺と、
上記マチ部の一端縁に沿って上記上辺の一端および上記下辺の一端を連続し、当該マチ部の他端縁側へ凸となるように円弧状に湾曲形成された一側辺と、
上記マチ部の他端縁に沿って上記上辺の他端および上記下辺の他端を連続し、当該マチ部の一端縁側へ凸となるように円弧状に湾曲形成された他側辺とを有する請求項５に記載の失禁用下着。
【請求項７】
上記吸水部材は、上記熱融着された部分に連続して上記下着本体に縫い付けられるための縫い代が形成されている請求項５または６に記載の失禁用下着。
【請求項８】
上記吸水シートは、上記下シート、中シートおよび上シートと共に熱融着されている請求項５から７のいずれかに記載の失禁用下着。
【発明の詳細な説明】
【技術分野】
【０００１】
本発明は、下着、特に失禁に悩む人用の下着に関し、より詳細には、失禁用の下着に採用される吸水部材の構造に関するものである。
【背景技術】
【０００２】
近年、失禁に悩む人が増えている。失禁は、本人にとっては外出さえも躊躇するほどの深刻な症状である。失禁症状がある人でも、適切な下着を選択することによって外出等を安心して行うことができる。そのため、従来から、失禁症状のある人用に種々の下着が提供されている。
【０００３】
失禁用の下着に要求される主な機能は、いわゆる横漏れ防止機能である。従来から提供されている失禁用の下着は、主としてこの横漏れ防止をいかに効果的に行うかの観点から開発されたものである。そして、従来の下着では、かかる機能を向上させるために、下着を構成する生地に工夫がなされており、例えばキルティング加工された生地や、吸水性に優れる厚手の生地等が開発されている。さらに、生地の改良に加えて下着の構造が改良されており、吸水性に優れる吸水パッドが下着本体に取り付けられることによって、上記横漏れ防止機能が強化されている（例えば、特許文献１および特許文献２参照）。
【０００４】
【特許文献１】特開２００５−２４０２５２号公報
【特許文献２】特開２００６−２２５５号公報
【発明の開示】
【発明が解決しようとする課題】
【０００５】
ところで、失禁用下着の着用者は、外出先においても歩行や軽い運動をすることが考えられる。そのような場合には、横漏れだけではなく、前後の漏れも確実に防止されることが必要である。また、横漏れだけではなく前後の漏れをも防止されるためには、吸水部材が下着本体に確実に固定されなければならない。吸水部材が下着本体に確実に固定されるためには、吸水部材が下着本体に強固に縫い付けられていればよいが、そのために、縫製コストが上昇すると共に、縫い目から水分が漏れる可能性が高くなる。
【０００６】
そこで、本発明の目的は、横漏れのみならず前後の漏れをも確実に防止することができると共に下着本体に簡単且つ安価に取り付けられる吸水部材、およびこれが採用された失禁用下着を提供することである。
【課題を解決するための手段】
【０００７】
(1) 上記目的が達成されるため、本発明に係る吸水部材は、防水性を有する下シートと、下シートの上に重ねられた吸水性を有する吸水シートと、吸水シートの上に重ねられ、防水性を有する中シートと、中シートの上に重ねられ、疎水性および透水性を有する上シートとを備える。上記中シートは、上記吸水シートの中央部を露出させた状態で縁部を覆う開口を有する。上記下シート、中シートおよび上シートは、上記吸水シートを包むように当該吸水シートの周縁に沿って環状に熱融着されている。
【０００８】
上シートは、疎水性および透水性を備えているから、この上シート側に水分が存在すれば、当該水分は、直ちに上シートから中シート側へ移動する。中シートは上記開口を備えているから、当該水分は、中シートも通過して吸水シートに至り、この吸水シートによって保持される。吸水シートの下方に下シートが配置されているので、仮に当該水分が吸水シートを下方に通過してとしても、当該水分が下シートを通過することはない。また、吸水シートは、下シートと中シートとの間に挟み込まれており、しかも下シート、中シートおよび上シートは、この吸水シートを包むように当該吸水シートの周縁に沿って環状に熱融着されている。したがって、仮に当該水分が吸水シートを前後方向および左右方向に浸透し通過したとしても、当該水分が中シートや下シートを通過して外部に漏れることはない。さらに、上記下シート、中シートおよび上シートが熱融着されることにより、吸水シートからの水分の漏れが確実に防止されるので、当該熱融着された部位よりも外側の部分については、特に防水処理は不要である。したがって、この防水処理を要しない部分がたとえば下着等に縫い付けられたとしても、当該縫い目から水分が漏れることはない。
【０００９】
(2) 上記下シート、吸水シート、中シートおよび上シートはそれぞれ略分銅形に形成されているのが好ましい。すなわち、上記下シート、吸水シート、中シートおよび上シートは、それぞれ、所定方向に凸となるように円弧状に湾曲形成された上辺と、反所定方向に凸となるように円弧状に湾曲形成された下辺と、上辺の一端および下辺の一端を連続し、両者の他端側へ凸となるように円弧状に湾曲形成された一側辺と、上辺の他端および下辺の他端を連続し、両者の一端側へ凸となるように円弧状に湾曲形成された他側辺とを有して構成され得る。
【００１０】
このように、吸水シートが略分銅形に形成されることにより、当該吸水シートが下シート、中シートおよび上シートによって包み込まれた状態で、これら下シート、中シートおよび上シートに対して容易に位置ずれを起こすことはない。したがって、吸水シートは、確実に水分を吸収し、保持することができる。
【００１１】
(3) 上記熱融着された部分に連続して縫い代が形成されているのが好ましい。
【００１２】
この縫い代が形成されることにより、当該吸水部材が下着等に容易に縫い付けられるという利点がある。しかも、この縫い代が下着等に縫い付けられたとしても、上記熱融着された部分によって上記吸水シートに吸収された水分の漏れが確実に防止される。
【００１３】
(4) 上記吸水シートは、上記下シート、中シートおよび上シートと共に熱融着されていてもよい。
【００１４】
この構成では、吸水シートが下シート、中シートおよび上シートに対して確実に位置決めされる。したがって、吸水シートからの水分の漏れが一層確実に防止される。
【００１５】
(5) 上記目的が達成されるため、本発明に係る失禁用下着は、マチ部を有する下着本体と、上記マチ部の内側に配置された吸水部材とを備える。当該吸水部材は、上記マチ部に重ねられた防水性を有する下シートと、当該下シートの上に重ねられた吸水性を有する吸水シートと、当該吸水シートの上に重ねられ、防水性を有する中シートと、当該中シートの上に重ねられ、疎水性および透水性を有する上シートとを有する。上記中シートは、上記吸水シートの中央部を露出させた状態で縁部を覆う開口を有する。上記下シート、中シートおよび上シートは、上記吸水シートを包むように当該吸水シートの周縁に沿って環状に熱融着されている。
【００１６】
失禁症状のある人は、この失禁用下着を着用する。上記上シートは、疎水性および透水性を備えているから、この上シート側に尿等が存在すれば、当該尿等は、直ちに上記上シートから上記中シート側へ移動する。この中シートは上記開口を備えているから、当該尿等は、中シートも通過して上記吸水シートに至り、この吸水シートによって保持される。吸水シートの下方に上記下シートが配置されているので、仮に尿等が吸水シートを下方に通過してとしても、当該尿等が下シートを通過して下着本体を汚すことはない。また、吸水シートは、下シートと中シートとの間に挟み込まれており、しかも下シート、中シートおよび上シートは、この吸水シートを包むように当該吸水シートの周縁に沿って環状に熱融着されている。したがって、この失禁用下着の着用者が歩行や軽い運動を行ったことにより仮に尿等が吸水シートを前後方向および左右方向に浸透し通過したとしても、当該尿等が中シートや下シートを通過して下着本体を汚すことはない。すなわち、いわゆる横漏れおよび前後の漏れが確実に防止される。さらに、上記下シート、中シートおよび上シートが熱融着されることによって吸水シートからの尿等の漏れが確実に防止されるので、当該熱融着された部位よりも外側の部分については、特に防水処理は不要である。したがって、この防水処理を要しない部分が下着本体のマチ部に縫い付けられたとしても、当該縫い目から水分が漏れることはない。
【００１７】
(6) 上記下シート、吸水シート、中シートおよび上シートはそれぞれ略分銅形に形成されているのが好ましい。すなわち、上記下シート、吸水シート、中シートおよび上シートは、それぞれ、上記下着本体の前側に凸となるように円弧状に湾曲形成された上辺と、上記下着本体の後側に凸となるように円弧状に湾曲形成された下辺と、上記マチ部の一端縁に沿って上記上辺の一端および上記下辺の一端を連続し、当該マチ部の他端縁側へ凸となるように円弧状に湾曲形成された一側辺と、上記マチ部の他端縁に沿って上記上辺の他端および上記下辺の他端を連続し、当該マチ部の一端縁側へ凸となるように円弧状に湾曲形成された他側辺とを有する。
【００１８】
このように、吸水シートが略分銅形に形成されることにより、当該吸水シートが下シート、中シートおよび上シートによって包み込まれた状態で、これら下シート、中シートおよび上シートに対して確実に位置決めされる。したがって、吸水シートは、確実に水分を吸収し、保持することができる。
【００１９】
(7) 上記吸水部材は、上記熱融着された部分に連続して上記下着本体に縫い付けられるための縫い代が形成されているのが好ましい。
【００２０】
この縫い代が形成されることにより、当該吸水部材が下着本体に容易に縫い付けられるという利点がある。しかも、この縫い代が下着本体に縫い付けられたとしても、上記熱融着された部分によって上記吸水シートに吸収された水分の漏れが確実に防止される。
【００２１】
(8) 上記吸水シートは、上記下シート、中シートおよび上シートと共に熱融着されていてもよい。
【００２２】
この構成では、吸水シートが下シート、中シートおよび上シートに対して一層確実に位置決めされる。したがって、吸水シートからの水分の漏れが一層確実に防止される。
【発明の効果】
【００２３】
この発明によれば、吸水部材の吸水シートが下シート上に配置され且つ下シートおよび中シートによって囲繞されているから、一旦吸水シートに吸収された水分は、確実に下シートおよび中シートによって保持される。したがって、この吸水部材を備えた下着の着用者が仮に失禁症状を有する場合であっても、散歩や軽い運動によって横漏れが生じることはなく、横漏れのみならず前後の漏れをも確実に防止される。加えて、下シート、中シートおよび上シートが熱融着されているから、吸水部材を下着に簡単に取り付けることが可能であり、その結果、失禁用下着が簡単且つ安価に製造され得る。
【発明を実施するための最良の形態】
【００２４】
以下、適宜図面が参照されつつ、好ましい実施形態に基づいて本発明が詳細に説明される。
【００２５】
図１は、本発明の一実施形態に係る下着の斜視図である。
【００２６】
この下着１０（失禁用下着）は、特に失禁症状のある成人が着用するものである。下着１０は、縫製されており、下着本体１１と、これに取り付けられた吸水部材１２とを備えている。下着本体１１は、前身頃１３、後身頃１４およびこれらを連続させるマチ部１５を備えている。これら前身頃１３、後身頃１４およびマチ部１５は縫い合わされており、これにより、同図が示すような立体的な下着１０が形成されている。なお、前身頃１３と後身頃１４とが一体的に構成されていてもよい。
【００２７】
本実施形態に係る下着１０の特徴とするところは、マチ部１５に上記吸水部材１２が設けられており、特に、この吸水部材１２が後述される構造を備えている点である。この吸水部材１２が下着本体１１に設けられることによって、失禁症状が発生した場合であっても、水分がマチ部１５の横方向（図中矢印Ｐの方向）のみならず前後方向（図中矢印Ｑの方向）に漏れてしまうことが確実に防止されるようになっている。以下、下着１０の構造について詳述される。
【００２８】
下着本体１１は、例えば、綿、ナイロン及びポリエステル等により構成されている。すなわち、下着本体１１を構成する前身頃１３、後身頃１４およびマチ部１５は、それぞれ、綿、ナイロン及びポリエステル等の繊維を含む生地からなる。前身頃１３、後身頃１４およびマチ部１５は、予め所定寸法に裁断され、縫い合わされている。図１が示すように、下着本体１１のウエストバンドおよびレッグホールには、縁取りテープ１８が取り付けられている。縁取りテープ１８は、特に限定されるものではないが、レース等の装飾性の高いものが取り付けられ得る。もっとも、この縁取りテープ１８は、省略されていてもよいことは勿論である。
【００２９】
図２は、図１におけるII−矢視図であり、下着１０のマチ部１５の平面図である。また、図３は、図２におけるIII−III断面図である。なお、これらの図では、上記縁取りテープ１８は省略されている。
【００３０】
図１および図２が示すように、吸水部材１２は、マチ部１５に取り付けられている。吸水部材１２の外形形状はマチ部１５に対応して形成されることが望ましい。本実施形態では、吸水部材１２は、マチ部１５と略同一形状（略相似形）に形成されている。この吸水部材１２は、マチ部１５の内側に重ね合わされるように固定されている。つまり、吸水部材１２は、その裏面がマチ部１５の内面と対向するように配置されている。吸水部材１２の固定構造については、後に詳述される。
【００３１】
図３が示すように、吸水部材１２は、マチ部１５の上にすなわち内側に重ね合わされた下シート１６と、下シート１６の上に重ね合わされた吸水シート１７と、吸水シート１７および下シート１６の上に重ね合わされた中シート１８と、中シート１８の上に重ね合わされた上シート１９とを備えている。
【００３２】
下シート１６は、マチ部１５と略同様の形状であり、略分銅形に形成されている。具体的には、図２および図３が示すように、下シート１６は、上辺２１、下辺２２、一側辺２３および他側辺２４を有する。
【００３３】
図２および図１が示すように、上辺２１は、下着本体１１の前側に凸となるように（所定方向に凸となるように）円弧状に湾曲している。下辺２２は、下着本体１１の後側に凸となるように（反所定方向に凸となるように）円弧状に湾曲している。これにより、この失禁用下着１０の着用者の下腹部および臀部が吸水部材１２によって覆われる。また、図２および図３が示すように、一側辺２３は、マチ部１５の一端縁２７に沿って延びている。すなわち、この一側辺２３は、上記上辺２１の一端２５（図２参照）と上記下辺２２の一端２６（図２参照）とを連続する。そして、この一側辺２３は、マチ部１５の他端縁２８側へ凸となるように（図２において右側に凸となるように）円弧状に湾曲している。さらに、他側辺２４は、マチ部１５の他端縁２８に沿って延びている。すなわち、この他側辺２４は、上記上辺２１の他端２９（図２参照）と上記下辺２２の他端３０（図２参照）とを連続する。そして、この他側辺２４は、マチ部１５の一端縁２７側へ凸となるように（図２において左側に凸となるように）円弧状に湾曲している。
【００３４】
この下シート１６は、ポリエステル等の合成繊維を含む生地からなる。本実施形態では、この下シート１６を構成するポリエステル生地は、低融点ポリウレタン樹脂によりラミネートされている。これにより、下シート１６は、防水性に優れ、伸縮性を備えている。
【００３５】
図２および図３が示すように、吸水シート１７は、略分銅形に形成されており、下シート１６と相似形を呈する。具体的には、図２が示すように、吸水シート１７は、上辺３１、下辺３２、一側辺３３および他側辺３４を有する。吸水シート１７は、下シート１６の上に重ね合わされている。吸水シート１７は、下シート１６よりもひとまわり小さく形成されており、下シート１６の中央に配置されている。吸水シート１７は、たとえばコットンのほか吸水性を有するポリエステル、アクリル、レーヨンその他の合成繊維を含む不織布からなる。これにより、吸水シート１７は、一旦吸収した水分を確実に保持する保水性を備えている。
【００３６】
図２が示すように、上辺３１は、下着本体１１の前側に凸となるように（所定方向に凸となるように）円弧状に湾曲している。下辺３２は、下着本体１１の後側に凸となるように（反所定方向に凸となるように）円弧状に湾曲している。これにより、この失禁用下着１０の着用者の下腹部および臀部が吸水シート１７によって覆われることになる。また、図２および図３が示すように、一側辺３３は、マチ部１５の一端縁２７に沿って延びている。すなわち、この一側辺３３は、上記上辺３１の一端３５（図２参照）と上記下辺３２の一端３６（図２参照）とを連続する。そして、この一側辺３３は、マチ部１５の他端縁２８側へ凸となるように円弧状に湾曲している。さらに、他側辺３４は、マチ部１５の他端縁２８に沿って延びている。すなわち、この他側辺３４は、上記上辺３１の他端３９（図２参照）と上記下辺３２の他端４０（図２参照）とを連続する。そして、この他側辺３４は、マチ部１５の一端縁２７側へ凸となるように円弧状に湾曲している。
【００３７】
中シート１８の外形形状も略分銅形に形成されている。中シート１８の外形形状は、下シート１６の外形形状と略同一である。具体的には、図２が示すように、中シート１８は、上辺４１、下辺４２、一側辺４３および他側辺４４を有する。同図では、中シート１８の上辺４１、下辺４２、一側辺４３および他側辺４４は、それぞれ、下シート１６の上辺２１、下辺２２、一側辺２３および他側辺２４と重なり合っているので、中シート１８の上辺４１、下辺４２、一側辺４３および他側辺４４については参照符号に括弧が付されている。
【００３８】
図３が示すように、中シート１８は、下シート１６の上に重ね合わされている。ただし、後述されるように、中シート１８に開口２０が設けられていること、および上記吸水シート１７が下シート１６よりもひとまわり小さく形成されていることから、この中シート１８は、吸水シート１７の一部の上にも重ね合わされている。この中シート１８は、下シート１６と同様の生地からなる。すなわち、中シート１８は、ポリエステル等の合成繊維を含む生地から構成されている。本実施形態では、この中シート１８を構成するポリエステル生地は、低融点ポリウレタン樹脂によりラミネートされている。これにより、中シート１８は、防水性に優れ、伸縮性を備える。
【００３９】
図２が示すように、上辺４１は、下着本体１１の前側に凸となるように（所定方向に凸となるように）円弧状に湾曲している。下辺４２は、下着本体１１の後側に凸となるように（反所定方向に凸となるように）円弧状に湾曲している。これにより、この失禁用下着１０の着用者の下腹部および臀部が吸水部材１２によって覆われることになる。また、図２および図３が示すように、一側辺４３は、マチ部１５の一端縁２７に沿って延びている。すなわち、この一側辺４３は、上記上辺４１の一端４５（図２参照）と上記下辺４２の一端４６（図２参照）とを連続する。そして、この一側辺４３は、マチ部１５の他端縁２８側へ凸となるように円弧状に湾曲している。さらに、他側辺４４は、マチ部１５の他端縁２８に沿って延びている。すなわち、この他側辺４４は、上記上辺４１の他端４９（図２参照）と上記下辺４２の他端５０（図２参照）とを連続する。そして、この他側辺４４は、マチ部１５の一端縁２７側へ凸となるように円弧状に湾曲している。なお、図２では、中シート１８の上辺４１の一端４５、下辺４２の一端４６、上辺４１の他端４９および下辺４２の他端５０は、それぞれ、下シート１６の上辺２１の一端２５、下辺２２の一端２６、上辺２１の他端２９および下辺２２の他端３０と重なり合っているので、中シート１８の上辺４１の一端４５、下辺４２の一端４６、上辺４１の他端４９および下辺４２の他端５０については参照符号に括弧が付されている。
【００４０】
中シート１８は、中央部に上記開口２０を有する。図２が示すように、この開口２０も略分銅形に形成されている。ただし、この開口２０は、吸水シート１７の外形形状よりもひとまわり小さく形成されている。中シート１８が上記開口２０を備えているから、中シート１８が吸水シート１７の上に重ね合わされることにより、同時に、中シート１８の周縁部が下シート１６の周縁部に重ね合わされる。換言すれば、吸水シート１７の上に中シート１８が重ね合わされると、当該中シート１８は、吸水シート１７の中央部を露出させた状態で吸水シート１７の周縁部６３を覆いつつ下シート１６にも重ね合わされる。
【００４１】
上シート１９は、略分銅形に形成されており、下シート１６と略同様の形状である。具体的には、図２が示すように、上シート１９は、上辺５１、下辺５２、一側辺５３および他側辺５４を有する。同図では、上シート１９の上辺５１、下辺５２、一側辺５３および他側辺５４は、それぞれ、下シート１６の上辺２１、下辺２２、一側辺２３および他側辺２４と重なり合っているので、上シート１９の上辺５１、下辺５２、一側辺５３および他側辺５４については参照符号に括弧が付されている。
【００４２】
この上シート１９は、疎水性を有するポリエステル等の合成繊維を含む生地からなる。本実施形態では、この上シート１９は、メッシュ構造を有し、透水性を備えている。また、上シート１９は、低融点ポリウレタン樹脂によりラミネートされている。さらに、上シート１９は、フッ素系撥水剤が塗布されることにより、撥水性を備えていてもよい。上シート１９が撥水性を備えることにより、上シート１９に付着した水分は、迅速に当該上シート１９を通過することができる。
【００４３】
図２が示すように、上辺５１は、下着本体１１の前側に凸となるように（所定方向に凸となるように）円弧状に湾曲している。下辺５２は、下着本体１１の後側に凸となるように（反所定方向に凸となるように）円弧状に湾曲している。これにより、この失禁用下着１０の着用者の下腹部および臀部が吸水部材１２によって覆われることになる。また、図２および図３が示すように、一側辺５３は、マチ部１５の一端縁２７に沿って延びている。すなわち、この一側辺５３は、上記上辺５１の一端５５（図２参照）と上記下辺５２の一端５６（図２参照）とを連続する。そして、この一側辺５３は、マチ部１５の他端縁２８側へ凸となるように円弧状に湾曲している。さらに、他側辺５４は、マチ部１５の他端縁２８に沿って延びている。すなわち、この他側辺５４は、上記上辺５１の他端５９（図２参照）と上記下辺５２の他端６０（図２参照）とを連続する。そして、この他側辺５４は、マチ部１５の一端縁２７側へ凸となるように円弧状に湾曲している。なお、図２では、上シート１９の上辺５１の一端５５、下辺５２の一端５６、上辺５１の他端５９および下辺５２の他端６０は、それぞれ、下シート１６の上辺２１の一端２５、下辺２２の一端２６、上辺２１の他端２９および下辺２２の他端３０と重なり合っているので、上シート１９の上辺５１の一端５５、下辺５２の一端５６、上辺５１の他端５９および下辺５２の他端６０については参照符号に括弧が付されている。
【００４４】
図３が示すように、下シート１６、中シート１８および上シート１９は、熱融着されている。本実施形態では、前述のように下シート１６、中シート１８および上シート１９が低融点ポリウレタン樹脂によりラミネートされていることから、高周波ウェルダ加工により下シート１６、中シート１８および上シート１９が簡単且つ確実に熱融着される。この熱融着された部分６１は、下シート１６、中シート１８および上シート１９を液密的に固着させる。したがって、仮に吸水シート１７が水分を含んだ場合に、当該水分が上記熱融着された部分６１を通過して外部に漏れることはない。図２および図３が示すように、下シート１６、中シート１８および上シート１９は、吸水シート１７の周縁に沿って環状に熱融着されている。このため、上記熱融着された部分６１は、無端の細長帯状に形成されている。なお、本実施形態では、吸水シート１７は熱融着されておらず、下シート１６、中シート１８および上シート１９によって包み込まれている。
【００４５】
失禁症状のある成人あるいは失禁の心配を持つ成人は、この下着１０を着用する。下着１０には上記吸水部材１２が設けられており、この吸水部材１２を構成する上シート１９は、メッシュ構造を有すると共にフッ素系撥水剤が塗布されることによって優れた撥水性を備えている。したがって、この下着１０の着用者が仮に失禁したとしても、水分（尿等）が直ちに上シート１９を通過して中シート１８および吸水シート１７側に移動する。これにより、下着１０の着用者は、常に肌にさらさら感が得られる。
【００４６】
図２および図３が示すように、中シート１８は開口２０を備えているから、尿等は、この開口２０から中シート１８も通過して吸水シート１７に至り、この吸水シート１７によって保持される。吸水シート１７は、前述のように十分な保水性を備えているから、一旦吸収した水分は、逆流することはない。吸水シート１７の下方に下シート１６が配置されている。この下シート１６は防水性を備えているから、仮に尿等が吸水シート１７を通過して下方に移動したとしても、当該尿等が下シート１６を通過して下着本体１１を汚すことはない。
【００４７】
また、吸水シート１７は、下シート１６と中シート１８との間に挟み込まれており、しかも下シート１６、中シート１８および上シート１９は、この吸水シート１７を包むように熱融着されている。そして、この熱融着された部分６１（図２参照）は、吸水シート１７の周縁に沿って環状に形成されているから、仮に、この下着１０の着用者が歩行や軽い運動を行ったことが原因となって尿等が吸水シート１７を前後方向および左右方向に浸透し通過したとしても、当該尿等が中シート１８や下シート１６を通過して下着本体１１を汚すことはない。すなわち、いわゆる横漏れだけでなく、前後の漏れが確実に防止される。
【００４８】
さらに、上記下シート１６、中シート１８および上シート１９が熱融着されることによって吸水シート１７からの尿等の漏れが確実に防止されることから、この熱融着された部分６１よりも外側の部分、すなわち、下シート１６、中シート１８および上シート１９の周縁近傍部分については、特に防水処理は不要である。したがって、この防水処理を要しない周縁近傍部分が下着本体１１のマチ部１５に縫い付けられたとしても、縫い目から尿等が漏れることはないという利点がある。
【００４９】
このように、本実施形態に係る下着１０によれば、吸水部材１２の吸水シート１７が下シート１６上に配置され且つ下シート１６および中シート１８によって囲繞されているから、一旦吸水シート１７に吸収された尿等の水分は、確実に下シート１６および中シート１８によって保持され、その結果、この下着１０の着用者が仮に散歩や軽い運動を行ったとしても横漏れが生じることはなく、しかも、前後の漏れをも確実に防止される。
【００５０】
また、この下着１０によれば、下シート１６、中シート１８および上シート１９が前述のように熱融着されているから、吸水部材１２を下着本体１１に簡単に縫い付けることが可能であり、その結果、下着１０が簡単且つ安価に製造され得るという利点もある。加えて、吸水部材１２が従来の一般的な縫製工程により下着本体１１に縫い付けられ得ることから、吸水部材１２は、従来の下着にいわゆる後付作業により取り付けられる。しかも、吸水部材１２が汚れた場合には、吸水部材１２のみを交換することも可能である。
【００５１】
また、本実施形態に係る下着１０では、吸水シート１７が図１および図２が示すように略分銅形に形成されている。したがって、吸水シート１７は、その周囲を下シート１６、中シート１８および上シート１９によって包み込まれ、これら下シート１６、中シート１８および上シート１９に対して確実に位置決めされる。したがって、下着１０の着用者が歩行や軽い運動をした場合であっても、吸水シート１７が位置ずれを起こすことなく、確実に水分を吸収し、保持することができる。すなわち、いわゆる横漏れや前後の漏れが一層確実に防止される。
【００５２】
特に、本実施形態では、図２が示すように、上記熱融着された部分６１の外側の部分に縫い代６２が形成されている。この縫い代６２は、上記熱融着された部分６１に連続して外側に延設されている。この縫い代６２は、無端の帯状に形成されており、下着本体１１に縫い付けられている。前述のように、上記熱融着された部分６１の外側の部分には防水の要請がないため、この縫い代６２の部分は、特に防水処理が行われることなく、下着本体１１に縫い付けられる。この縫い代６２が設けられることにより、吸水部材１２が下着本体１１に容易に固着されるし、この縫い代６２が下着本体１１に縫い付けられたとしても、上記熱融着された部分６１によって吸水シート１７に吸収された水分の漏れが確実に防止される。もっとも、この縫い代６２が省略されてもよいことは勿論である。その場合には、吸水部材１２は、たとえば面ファスナ等を介して下着本体１１に取り付けられる。
【００５３】
また、本実施形態では、図３が示すように、下シート１６、中シート１８および上シート１９が熱融着されており、吸水シート１７は、これらと熱融着されていない。ただし、吸水シート１７が下シート１６等と同様に低融点ポリウレタン樹脂によりラミネートされる場合には、吸水シート１７は、下シート１６、中シート１８および上シート１９と共に熱融着され得る。吸水シート１７が下シート１６、中シート１８および上シート１９と共に熱融着されることにより、吸水シート１７が下シート１６、中シート１８および上シート１９に対して一層確実に位置決めされる。したがって、下着１０の着用者が比較的長時間歩行したり運動した場合であっても、吸収シート１７が位置ずれすることはなく、その結果、吸水シート１７からの水分の漏れが一層確実に防止される。
【００５４】
次に、本実施形態の変形例について説明される。
【００５５】
図４は、本発明の一実施形態の変形例に係る下着の要部平面図である。同図は、上記実施形態の変形例に係る下着７０のマチ部７５の平面図である。また、図５は、図４におけるＶ−Ｖ断面図である。なお、本変形例に係る下着７０にも上記縁取りテープ１８（図１参照）が設けられ得るが、これらの図では、この縁取りテープ１８が省略されている。
【００５６】
本変形例に係る下着７０が上記実施形態に係る下着１０と異なるところは、吸水部材７２の構造である。すなわち、上記下着１０の吸水部材１２では、図３が示すように下シート１６、吸水シート１７、中シート１８および上シート１９が順に重ね合わされていたのに対し、本変形例に係る下着７０の吸水部材７２では、図４および図５が示すように、下シート１６の上に吸水シート１７が重ね合わされており、この吸水シート１７の上に上記上シート１９が重ね合わされ、さらにこの上シート１９の上に中シート１８が重ね合わされている。換言すれば、吸水シート１７は、下シート１６と上シート１９とによって挟み込まれ、両者によって完全に包み込まれている。そして、中シート１８が上シート１９の上に重ね合わされることにより、中シート１８の開口２０から上シート１９の中央部が露出している。なお、下着７０のその他の構成については、上記下着１０と同様である。
【００５７】
本変形例に係る下着７０の着用者が仮に失禁したとしても、水分（尿等）が直ちに上シート１９を通過して吸水シート１７側に移動する。これにより、下着１０の着用者は、常に肌にさらさら感が得られる。
【００５８】
中シート１８は開口２０を備えているから、尿等は、この開口２０から上シート１９を通過して吸水シート１７に至り、この吸水シート１７によって保持される。吸水シート１７は十分な保水性を備えているから、一旦吸収した水分は、逆流することはない。吸水シート１７の下方に下シート１６が配置されている。この下シート１６は防水性を備えているから、仮に尿等が吸水シート１７を通過して下方に移動したとしても、当該尿等が下シート１６を通過して下着本体１１を汚すことはない。
【００５９】
吸水シート１７は、下シート１６と上シート１９との間に挟み込まれており、さらに、中シート１８が上シート１９に重ね合わされている。この中シート１８は上記開口２０を備えているから、この中シート１８は、上シート１９の周縁部を覆うように重ね合わされている。しかも、上記実施形態に係る下着１０と同様に、下シート１６、中シート１８および上シート１９は、この吸水シート１７を包むように熱融着されており、そして、この熱融着された部分６１は、吸水シート１７の周縁部６３に沿って環状に形成されている。したがって、仮に、この下着７０の着用者が歩行や軽い運動を行ったことが原因となって尿等が吸水シート１７を前後方向および左右方向に浸透し通過したとしても、当該尿等が上シート１９を通過して下着本体１１を汚すことはない。すなわち、いわゆる横漏れだけでなく、前後の漏れが確実に防止される。
【００６０】
さらに、上記下シート１６、中シート１８および上シート１９が熱融着されることによって吸水シート１７からの尿等の漏れが確実に防止されることから、この熱融着された部分６１よりも外側の部分、すなわち、下シート１６、上シート１９および中シート１８の周縁近傍部分については、特に防水処理は不要である。したがって、この防水処理を要しない周縁近傍部分が下着本体１１のマチ部７５に縫い付けられたとしても、縫い目から尿等が漏れることはないという利点がある。
【００６１】
このように、本実施形態に係る下着７０によれば、吸水部材７２の吸水シート１７が下シート１６上に配置され且つ下シート１６および上シート１９および中シート１８によって囲繞されているから、一旦吸水シート１７に吸収された尿等の水分は確実に保持され、その結果、この下着７０の着用者が仮に散歩や軽い運動を行ったとしても横漏れが生じることはなく、しかも、前後の漏れをも確実に防止される。
【００６２】
また、この下着７０によれば、上記実施形態に係る下着１０と同様に、下シート１６、中シート１８および上シート１９が前述のように熱融着されているから、吸水部材７２を下着本体１１に簡単に縫い付けることが可能であり、その結果、下着７０が簡単且つ安価に製造され得るという利点もある。加えて、吸水部材７２が従来の一般的な縫製工程により下着本体１１に縫い付けられ得ることから、吸水部材７２は、従来の下着にいわゆる後付作業により取り付けられる。しかも、吸水部材７２が汚れた場合には、吸水部材７２のみを交換することも可能である。
【００６３】
また、この下着７０では、上記下着１０と同様に、吸水シート１７が略分銅形に形成されている。したがって、吸水シート１７は、その周囲を下シート１６、上シート１９および中シート１８によって包み込まれ、これら下シート１６、中シート１８および上シート１９に対して確実に位置決めされる。したがって、下着７０の着用者が歩行や軽い運動をした場合であっても、吸水シート１７が位置ずれを起こすことなく、確実に水分を吸収し、保持することができる。すなわち、いわゆる横漏れや前後の漏れが一層確実に防止される。
【００６４】
特に、本実施形態では、上記熱融着された部分６１の外側の部分に縫い代６２が形成されている（図４参照）。この縫い代６２は、上記熱融着された部分６１に連続して外側に延設されている。この縫い代６２は、無端の帯状に形成されており、下着本体１１に縫い付けられている。前述のように、上記熱融着された部分６１の外側の部分には防水の要請がないため、この縫い代６２の部分は、特に防水処理が行われることなく、下着本体１１に縫い付けられる。この縫い代６２が設けられることにより、吸水部材１２が下着本体１１に容易に固着されるし、この縫い代６２が下着本体１１に縫い付けられたとしても、上記熱融着された部分６１によって吸水シート１７に吸収された水分の漏れが確実に防止される。もっとも、この縫い代６２が省略されてもよいことは勿論である。その場合には、吸水部材７２は、たとえば面ファスナ等を介して下着本体１１に取り付けられる。
【００６５】
また、本実施形態では、図５が示すように、下シート１６、上シート１９および中シート１８が熱融着されており、吸水シート１７は、これらと熱融着されていない。ただし、吸水シート１７が下シート１６等と同様に低融点ポリウレタン樹脂によりラミネートされる場合には、吸水シート１７は、下シート１６、上シート１９および中シート１８と共に熱融着され得る。吸水シート１７が下シート１６、上シート１９および中シート１８と共に熱融着されることにより、吸水シート１７が下シート１６、上シート１９および中シート１８に対して一層確実に位置決めされる。したがって、下着７０の着用者が比較的長時間歩行したり運動した場合であっても、吸収シート１７が位置ずれすることはなく、その結果、吸水シート１７からの水分の漏れが一層確実に防止される。
【産業上の利用可能性】
【００６６】
本発明は、失禁用の下着に適用され得る。
【図面の簡単な説明】
【００６７】
【図１】図１は、本発明の一実施形態に係る下着の斜視図である。
【図２】図２は、図１におけるII−矢視図である。
【図３】図３は、図２におけるIII−III断面図である。
【図４】図４は、本発明の一実施形態の変形例に係る下着のマチ部の平面図である。
【図５】図５は、図４におけるＶ−Ｖ断面図である。
【符号の説明】
【００６８】
１０・・・下着
１１・・・下着本体
１２・・・吸水部材
１５・・・マチ部
１６・・・下シート
１７・・・吸水シート
１８・・・中シート
１９・・・上シート
２０・・・開口
２１・・・上辺
２２・・・下辺
２３・・・一側辺
２４・・・他側辺
３１・・・上辺
３２・・・下辺
３３・・・一側辺
３４・・・他側辺
４１・・・上辺
４２・・・下辺
４３・・・一側辺
４４・・・他側辺
５１・・・上辺
５２・・・下辺
５３・・・一側辺
５４・・・他側辺
６１・・・熱融着された部分
６２・・・縫い代
６３・・・周縁部
７０・・・下着
７２・・・吸水部材
７５・・・マチ部
【図１】
2007308827.tif 000003
【図２】
2007308827.tif 000004
【図３】
2007308827.tif 000005
【図４】
2007308827.tif 000006
【図５】
2007308827.tif 000007